(57)【要約】      （修正有）【課題】線香を立てる操作が行いやすくなるとともに、香炉の掃除を用意にする線香立てを提供する。【解決手段】線香立て２は、香炉９０に収容可能なものであり、３本の脚１０と、それぞれの脚１０の上端部に設けられた一枚の厚板２０と、脚の中途部に設けられた受け板３０と、１本の脚１０の上端部から上方へ延びる取っ手４０と、を備える。厚板２０は、円形状に形成されたものであり、線香Ｓが挿入可能な挿入孔２１を複数有する。挿入孔２１は、厚板２０の上面から露呈する上孔部と、上孔部から真下に延び厚板２０の下面から露呈する下孔部と、を有する。上孔部は、上方から下方に向かって径が小さくなるテーパ状に形成され、下孔部は、高さ方向において径が一定である。【選択図】図１
2017104457.tif 000002
【特許請求の範囲】
【請求項１】
脚と、
脚の上端部に設けられ、線香の挿入孔が形成された一枚の厚板と、
脚の中途部に設けられ、前記挿入孔に挿入された前記線香の下端を支持するとともに灰を受ける一枚の受け板と、を備え、
前記挿入孔は、
前記厚板の上面から露呈する上孔部と、
前記テーパ部から真下に延びる下孔部と、を有し、
前記上孔部は、上方から下方に向かって径が小さくなるテーパ状に形成され、
前記下孔部は、上方から下方に向かって径が一定であることを特徴とする線香立て。
【発明の詳細な説明】
【技術分野】
【０００１】
本発明は、線香立てに関する。
【背景技術】
【０００２】
香炉に配される線香立てが知られている（例えば、特許文献１）。この線香立ては、容器底面の上方に配され線香の中途部を支持する第１網と、第１網の上方に配され線香の中途部を支持する第２網と、これらの網を連結する脚と、を備える。
【先行技術文献】
【特許文献】
【０００３】
【特許文献１】特開２００６−６８４８０号公報
【発明の概要】
【発明が解決しようとする課題】
【０００４】
しかしながら、特許文献１の線香立ては、次のような欠点がある。まず、線香を立てる場合、線香の下端部を第１網の目に挿入した後に、第２網の目に挿入する必要があるが、第２網の手前にある第１網が視界を遮ることとなり、結果として、第２網の目に線香を挿入する作業が行いにくい。その結果、線香が折れてしまう場合もある。また、網の目がたくさんあるため、誤って線香を斜めに立ててしまう場合もある。さらに、香炉の中に灰や燃えカスが残ってしまうため、香炉の掃除が大変である。
【０００５】
本発明は、斯かる実情に鑑み、線香を立てる操作が行いやすくなるとともに、香炉の掃除を用意にする線香立てを提供しようとするものである。
【課題を解決するための手段】
【０００６】
本発明の線香立ては、脚と、脚の上端部に設けられ、線香の挿入孔が形成された一枚の厚板と、脚の中途部に設けられ、前記挿入孔に挿入された前記線香の下端を支持するとともに灰を受ける一枚の受け板と、を備え、前記挿入孔は、前記厚板の上面から露呈する上孔部と、前記テーパ部から真下に延びる下孔部と、を有し、前記上孔部は、上方から下方に向かって径が小さくなるテーパ状に形成され、前記下孔部は、上方から下方に向かって径が一定であることを特徴とする。
【発明の効果】
【０００７】
本発明によれば、線香を立てる操作が行いやすくなるとともに、香炉の掃除を用意にする線香立てを提供することができる。
【図面の簡単な説明】
【０００８】
【図１】線香立ての概要を示す斜視図である。
【図２】線香立ての概要を示す断面図である。
【図３】挿入孔の概要を示す断面図である。
【発明を実施するための形態】
【０００９】
図１〜２に示すように、線香立て２は、香炉９０に収容可能なものであり、３本の脚１０と、それぞれの脚１０の上端部に設けられた一枚の厚板２０と、脚の中途部に設けられた受け板３０と、１本の脚１０の上端部から上方へ延びる取っ手４０と、を備える。  
【００１０】
厚板２０は、円形状に形成されたものであり、線香Ｓが挿入可能な挿入孔２１を複数有する。図３に示すように、挿入孔２１は、厚板２０の上面から露呈する上孔部２４と、上孔部２４から真下に延び厚板２０の下面から露呈する下孔部２５と、を有する。上孔部２４は、上方から下方に向かって径が小さくなるテーパ状に形成され、下孔部２５は、高さ方向において径が一定である。また、下孔部２５の径は、線香Ｓの外径にほぼ等しいことが好ましい。厚板２０の厚さは、例えば、１０ｍｍ以上２０ｍｍ以下であることが好ましい。厚板２０の形成材料は、陶器や金属（ステンレス等）が好ましい。
【００１１】
受け板３０は、円形状に形成され、挿入孔２１に挿入された線香Ｓの下端を支持するとともに灰や燃えカスを受け止めるものである。受け板３０には、貫通孔が形成されていないことが好ましい。受け板３０の形成材料は、陶器や金属（ステンレス等）が好ましい。受け板３０は、厚板２０とほぼ同じ径を有し、受け板３０の中心は、厚板２０の中心の真上に位置する。なお、受け板３０は、厚板２０とよりも大きな径であってもよい。
【００１２】
取っ手４０の上端部は、線香立て２を香炉９０に収容した状態において、香炉９０の収容口近傍に位置してもよいし、香炉９０の収容口から突出してもよい。突出量としては、例えば、１ｃｍ程度であることが好ましい。また、取っ手４０は、脚１０と一体となっていることが好ましい。
【００１３】
脚１０の中途部は、受け板３０に形成された孔に嵌着されている。３本の脚１０のうち、２本の脚１０の上端部は、厚板２０の下面に形成された凹部に嵌着されており、残りの１本の脚１０の上端部は、厚板２０に形成された孔に嵌着されている。３本の脚１０は、それぞれ、厚板２０の外周部よりも中心側へ寄っている。
【００１４】
次に、線香立て２の使い方について説明する。まず、線香Ｓの先端を挿入孔２１に挿入する。上孔部２４は、テーパー状となっているため、線香Ｓの先端は、スムーズに下孔部２５へガイドされる。下孔部２５の厚さが所定のものであるため、下孔部２５の上端と、下孔部２５の下端において、線香Ｓを支持することができる。すなわち、下孔部２５により線香Ｓを支持する位置が、下孔部２５の上端部及び下孔部２５の可端部となる。したがって、下孔部２５は、複数個所にて線香Ｓを支持することができる。このため、一枚の厚板２０でも線香Ｓを安定して支持することができる。結果、２枚の網で線香を支持する線香立て（例えば、特許文献１）のように、手前の網が邪魔になって、奥の網の目に線香を挿入する作業が行いにくくなるといった欠点もない。そして、厚板２０の下方には、孔の空いていない受け板３０が配されるため、線香Ｓの下端部を支持することが可能なるのはもちろんのこと、灰や燃えカスを受けることも可能になる。
【００１５】
また、線香立て２を香炉９０に収容した状態において、厚板２０は、香炉９０の内部空間に挿入されることが好ましい。さらに、線香立て２を香炉９０に収容した状態において、厚板２０は、挿入口の近傍（例えば、１ｃｍ程度離れた位置）に配されることが好ましい。これにより、線香Ｓを立てる操作が行いやすくなる。
【００１６】
なお、受け板３０の中央部分に凹み部分を設けてもよい。これにより、灰や燃えカス
をより確実に収容することができる。
【００１７】
尚、本発明は、上記した実施の形態に限定されるものではなく、本発明の要旨を逸脱しない範囲内において種々変更を加え得ることは勿論である。
【符号の説明】
【００１８】
２  線香立て
１０  脚
２０  厚板
３０  受け板
４０  取っ手
９０  香炉
【図１】
2017104457.tif 000003
【図２】
2017104457.tif 000004
【図３】
2017104457.tif 000005